(57)【要約】【課題】  画像形成装置本体内から外部に排出されるオゾンやＶＯＣ（揮発性有機化合物）を抑制するととも、排気装置の交換周期を延長する。【解決手段】  画像形成装置本体の左側壁Ｍ１に排気装置１０を設けて装置本体内の空気を排出する。排気装置１０は、ダクト１０１を有し、このダクト１０１には空気Ａの流れの方向に沿っての上流側から順に、防塵フィルタ１０２、オゾンフィルタ１０３、モータファン１０４、ＶＯＣ酸化触媒フィルタ１０５が取り付けられている。コート紙上にトナー像を定着する際に発生するＶＯＣを、まず、上流側のオゾンフィルタ１０３で吸着により機械的に除去し、つづいて下流側のＶＯＣ酸化触媒フィルタ１０５によって酸化により化学的に除去する。【選択図】      図２
2006119313.tif 000002
【特許請求の範囲】
【請求項１】
画像形成装置本体内の空気を外部に排出する排気排出路と、
前記排気排出路に設けられ、排出する空気中の化合物を吸着によって除去を行える吸着フィルタと、
前記排気排出路に設けられ、排出する空気中の化合物を触媒により分解して除去する触媒フィルタと、を備え、
排気方向に沿っての上流側に前記吸着フィルタを配置し、下流側に前記触媒フィルタを配置した、
ことを特徴とする排気装置。
【請求項２】
前記触媒フィルタが、揮発性有機化合物酸化触媒フィルタである、
ことを特徴とする請求項１に記載の排気装置。
【請求項３】
前記触媒フィルタが、オゾン分解触媒フィルタである、
ことを特徴とする請求項１に記載の排気装置。
【請求項４】
記録材上にトナー像を形成する画像形成部と、記録材上にトナー像を加熱して定着させる定着部と、前記画像形成装置本体内の空気を外部に排出する排気装置とを備えた画像形成装置において、
前記排気装置が、請求項１ないし３のいずれかに記載の排気装置である、
ことを特徴とする画像形成装置。
【発明の詳細な説明】
【技術分野】
【０００１】
本発明は、プリンタ，複写機，ファクシミリ等の画像形成装置に使用される排気装置及びこれを備えた画像形成装置に関する。
【背景技術】
【０００２】
印刷業界では、記録材（記録媒体）として、普通紙のほかに、コート紙がよく使用される。このコート紙は、上質紙の表面を化学物質でコートしてグロス調やマット調に仕上げたものである。コート紙は、特にカラー印刷に好適に使用されて、精細な画像表現、良好な色再現性を可能としている。
【０００３】
一方、プリンタ，複写機，ファクシミリ等の画像形成装置（インクを使用した印刷機を除く）においても、高精細な画像（ドットの細かい画像）が求められ、またカラー化の拡大に伴って、忠実な色再現性が求められている。このため、コート紙の利用が拡大している。
【０００４】
コート紙をプリンタ，複写機等で使用すると、揮発性有機化合物（ｖｏｌａｔｉｌｅ  ｏｒｇａｎｉｃ  ｃｏｍｐｏｕｎｄ：ＶＯＣ）が発生する場合がある。プリンタ，複写機等では、印刷機とは異なり、記録材上にトナー像を定着させるために定着装置によって約１８０℃の加熱処理を行う。この加熱によって、化学物質からＶＯＣが発生する。このＶＯＣは、除去するのが望ましい。
【０００５】
プリンタ，複写機等では、画像形成装置本体内の空気を外部に排出する際に、吸着フィルタを通過させて排気部（排気装置）から排出する。吸着フィルタとしては、多孔性の活性炭を有するものが多く利用されている。画像形成装置本体内で発生したオゾンやＶＯＣを、この活性炭に吸着させて、これらを除去するのである。
【０００６】
しかし、吸着フィルターは気体を吸着させることで気体を除去する方式であるため、ホルムアルデヒドのような低分子量のＶＯＣの気体を吸着させるためには、吸着フィルタの機密性を高める必要がある。そうすることで、低分子のＶＯＣの除去効率を高めることができるが、その反面、画像形成装置の内部から外部への通気性の低下のため画像形成装置の機内温度が上昇することで、トナー画像を形成するトナー画像形成手段に悪影響を与えかねない。
【０００７】
そのため、特許文献１には、吸着フィルタで除去が難しい低分子のＶＯＣの除去を行えるように触媒を用いたフィルタで除去する構成がある。
【０００８】
【特許文献１】特開平４−１６２４０号公報
【発明の開示】
【発明が解決しようとする課題】
【０００９】
しかし、連続画像形成等により生ずるＶＯＣの濃度が高くなった場合にも除去効果を高めるために除去効率を高めると、フィルタの通気性が低下するために、同様に画像形成装置の機内昇温が生ずる。このため、通気性を確保できるフィルタ構成にする必要があるが、その場合には、ＶＯＣ等の濃度が高いと低分子のＶＯＣ等を十分に分解できない場合がある。したがって、ＶＯＣの除去を行いつつ、通気性を高めるためには、触媒フィルタに到達するＶＯＣ等の濃度を低くして、分解除去率を高める必要がある。
【００１０】
そこで、本発明は、通気性を大きく損なうことなく、ＶＯＣ濃度が高い場合でも分解できるような触媒フィルタを有する画像形成装置を提供することを目的とするものである。
【課題を解決するための手段】
【００１１】
本発明は、排気装置において、画像形成装置本体内の空気を外部に排出する排気排出路と、前記排気排出路に設けられ、排出する空気中の化合物を吸着によって除去を行える吸着フィルタと、前記排気排出路に設けられ、排出する空気中の化合物を触媒により分解して除去する触媒フィルタと、を備え、排気方向に沿っての上流側に前記吸着フィルタを配置し、下流側に前記触媒フィルタを配置した、ことを特徴とする。
【発明の効果】
【００１２】
本発明によると、排気排出路の排気方向の上流側に配置された吸着フィルタによりＶＯＣ等の化合物の濃度を低くし、この低い濃度の化合物が触媒フィルタを通過することで、触媒フィルタの通気性が高くても画像形成装置の昇温を防止しつつＶＯＣ等の化合物の除去を行うことができる。
【発明を実施するための最良の形態】
【００１３】
以下、図面に沿って、本発明の実施の形態について説明する。
【００１４】
＜実施の形態１＞
図１に、本発明を適用することができる画像形成装置を示す。同図に示す画像形成装置は、電子写真方式のプリンタであり、同図はその概略構成を前側（操作側）から見た縦断面図である。
【００１５】
同図に示す画像形成装置には、原稿を読み込むリーダ部１、読み込んだ原稿に基づいて画像（トナー像）を形成する画像形成部２、この画像形成部２に記録材を供給する給搬送部３、画像形成部２において記録材上に形成されたトナー像を定着させる定着部４、定着後の記録材を排出する排出部５、定着後の記録材を表裏反転する反転部６、そして画像形成装置本体Ｍ内の空気を排気する排気部（排気装置）１０が設けられている。これら各部は、排出部５の一部を除いて、箱状に形成された画像形成装置本体Ｍの内側に設けられている。以下、リーダ部１から順に説明する。
【００１６】
[リーダ部１］
リーダ部１には、原稿台ガラス１１、走査光学系１２、縮小レンズ１３、ＣＣＤ１４等が配設されている。走査光学系１２は、光源１２ａ、反射ミラー１２ｂ〜１２ｆを有している。
【００１７】
原稿台ガラス１１に載置された原稿（不図示）は、下方を向けた画像面が、光源１２ａ及び反射ミラー１２ｂ，１２ｃにより光照射される。その反射光は縮小レンズ１３を介してＣＣＤ１４に結像され、光電変換され、さらにＡ／Ｄ変換されて画像情報となる。この画像情報はメモリー（不図示）へ転送される。
【００１８】
［画像形成部２］
画像形成部２には、像担持体としての感光ドラム２１、コロナ帯電器２２、露光装置２３、現像装置２４、転写帯電器２５、クリーニング装置２６等が配設されている。露光装置２３は、レーザ発振器２３ａ、ポリゴンミラー２３ｂ、反射ミラー２３ｃ等を有している。感光ドラム２１は、矢印方向（図１中の時計回り）に所定のプロセススピード（周速度）で回転駆動され、その表面がコロナ帯電器２２によって所定の極性・電位に一様に帯電される。帯電後の感光ドラム２１は、露光装置２３によって静電潜像が形成される。レーザ発振器２３ａは、上述の画像情報に基づいて、レーザ光を発光する。発光されたレーザ光は、ポリゴンミラー２３ｂの回転、反射ミラー２３ｃの反射によって感光ドラム２１表面を母線方向に走査する。これにより感光ドラム２１上に静電潜像が形成される。この静電潜像は、現像装置２４によってトナー像として現像される。このトナー像は、次に説明する給搬送部３から供給される記録材Ｓに、転写帯電器２５によって転写される。トナー像転写後の感光ドラム２１は、表面に残ったトナー（転写残トナー）がクリーニング装置２６によって除去され次の画像形成に供される。なお、コロナ帯電器２２及び転写帯電器２５が作動すると、コロナ放電によってオゾンが発生される。
【００１９】
［給搬送部３］
給搬送部３には、給紙カセット３１，３１、給紙ローラ３２，３２、搬送ローラ３３，３３、リタードローラ３４，３４、レジストローラ３５等が配設されている。給紙カセット３１に積載収納されている記録材Ｓは、給紙ローラ３２によって給紙され、搬送ローラ３３及びリタードローラ３４によって１枚ずつ分離されて搬送される。搬送された記録材Ｓは、レジストローラ３５によって一旦停止されて斜行が防止された後、感光ドラム２１上のトナー像にタイミングを合わせるようにして、感光ドラム２１と転写帯電器２５との間の転写部に供給される。転写部に供給された記録材Ｓは、転写帯電器２５によって表面にトナー像が転写される。トナー像転写後の記録材Ｓは、搬送ベルト３６によって、次に説明する定着部４に搬送される。
【００２０】
［定着部４］
定着部４には、ハロゲンヒータ（不図示）を内側に有する加熱ローラ４１と、付勢部材（不図示）によって所定の押圧力で加熱ローラ４１に当接された加圧ローラ４２とが配設されている。未定着のトナー像を担持した記録材Ｓは、図１中の時計回りに回転する加熱ローラ４１と図１中の反時計回りに回転する加圧ローラ４２との間の定着ニップを通過することにより、加熱、加圧されて表面にトナー像が定着される。このとき記録材Ｓに加えられる熱によって、記録材Ｓ中の水分が蒸発したり、また記録材Ｓがコート紙である場合には、ＶＯＣが発生したりする。
【００２１】
［排紙部５］
排紙部５には、排紙ローラ５１、排紙トレイ５２が配設されている。トナー像転写後の記録材Ｓは、排紙ローラ５１によって、画像形成装置本体Ｍ外部の排紙トレイ５２上に排出される。これにより１枚の記録材Ｓの片面（表面）に対する画像形成が終了する。
【００２２】
［反転部６］
記録材Ｓの両面に画像形成を行う場合は、記録材Ｓは、表面にトナー像が定着された後、排紙されずに、下方のスイッチバックローラ対６１に搬送される。記録材Ｓはこのスイッチバックローラ対６１の正転及び逆転により、表裏反転されて、両面搬送パス６２に導かれる。その後、記録材Ｓは、裏面に画像形成を行うために、再搬送ローラ６３によってレジストローラ３５に搬送される。そして、表面に画像形成したのと同様のプロセスを経て、裏面に画像形成が行われる。裏面にも画像形成がなされた記録材Ｓは、定着部４等を介して、排紙トレイ５２上に排出される。これにより、記録材Ｓの両面［表面と裏面］に対する画像形成が終了する。
【００２３】
［排気装置１０］
本実施の形態においては、画像形成装置は、画像形成装置本体Ｍの左側壁Ｍ１における、上述の排紙ローラ５１の上方に、画像形成装置本体Ｍ内の空気を排気するための排気路である排気装置１０を備えている。
【００２４】
図２は、図１における排気装置１０の拡大断面図を示す。これらの図に示すように、排気装置１０は、ダクト（排気排出路）１０１と、このダクト１０１に対してその奥側（図２の右側）から順に取り付けられたトナー等の微小物を除去する防塵フィルタ１０２、吸着フィルタ吸着フィルタとしてのオゾンフィルタ１０３、排気手段としてのモータファン１０４、触媒フィルタとしてのＶＯＣ酸化触媒フィルタ１０５とを備えている。
【００２５】
ダクト１０１は、筒状に形成されていて、画像形成装置本体Ｍの内側に向けて開口する吸気口１０１ａと画像形成装置本体Ｍの外側に向けて開口する排気口１０１ｂとを有している。ダクト１０１は、吸気口１０１ａと排気口１０１ｂとの間に、空気Ａの流路を形成している。ダクト１０１の形状は、円筒形、角筒形等はもちろん、例えば設計上の制約により任意の形状とすることができる。
【００２６】
防塵フィルタ１０２は、ダクト１０１における最も奥側（吸気口１０１ａ）、すなわち空気Ａの流れに沿っての最上流側に配設されている。この防塵フィルタ１０２は、主に、画像形成装置本体Ｍ内の空気中に飛散している飛散トナーを除去するものである。
【００２７】
オゾンフィルタ１０３は、上述の防塵フィルタ１０２の下流側に配設されている。オゾンフィルタ１０３は、活性炭を織布、不織布、薄板に担持させたものであり、主に、画像形成装置本体Ｍ内の空気中のオゾンを吸着により機械的に除去するものである。なお、オゾンフィルタ１０３は、その除去方法が吸着による機械的な除去であるため、ＶＯＣをもオゾンと同様に吸着して除去することが可能である。
【００２８】
モータファン１０４は、上述のオゾンフィルタ１０３の下流側に配設されている。モータファン１０４は、回転可能なファン１０４ａとこれを回転駆動するモータ（不図示）とを有していて、ダクト１０１内に、空気Ａの流れを形成するものである。
【００２９】
ＶＯＣ酸化触媒フィルタ１０５は、上述のモータファン１０４の下流側、すなわちダクト１０１の排気口１０１ｂに配設されている。ＶＯＣ酸化触媒フィルタ１０５は、白金、パラジウム等の貴金属系、又は、マンガン、鉄等の卑金属系の酸化触媒を織布、不織布、薄板などの基材で担持したものである。このＶＯＣ酸化触媒フィルタ１０５は、空気中のＶＯＣを酸化によって化学的に除去するものである。
【００３０】
なお、上述のオゾンフィルタ１０３やＶＯＣ酸化触媒フィルタ１０５は、上述のものに限定されるものではなく、前者のオゾンフィルタ１０３は、オゾンやＶＯＣを少なくとも吸着によって除去する機能を有すればよく、またＶＯＣ酸化触媒フィルタ１０５は少なくともＶＯＣを酸化させる機能を有するものであればよい。
【００３１】
上述の画像形成装置においては、図１に示すように、記録材Ｐの搬送経路のうちの、レジストローラ３５よりも下流側に位置する部分は、ほぼ右側から左側に向けて形成されている。そして、この部分の上流側から下流側にかけて、上述の画像形成部２、定着部４、排気装置１０が配設されている。さらに、画像形成部２と定着部４とはほぼ同じ高さに、そして、排気装置１０は、定着部４の斜め上方に配置されている。
【００３２】
また、画像形成部２のコロナ帯電器２２と、排気装置１０との間には、コロナ帯電器２２近傍の空気Ａを排気装置１０に導くための流路７が設けられている。この流路７は、横方向に配設されて上板７１と、この上板７１に対して下方から対向する下板７２と、定着部４の上方を覆うカバー部材７３とによって構成されている。このうち上板７１は、その右端がコロナ帯電器２２の上方に位置し、左端側がほぼ水平に左方に延設されて、排気装置１０の上部に至るように形成されている。この上板７１は、画像形成装置本体Ｍの上部に配設されたリーダ部１と、他の各部、すなわち画像形成部２、給搬送部３、定着部４、反転部６等とを区画している。これにより、リーダ部１には、画像形成装部２で発生したオゾンや飛散トナー、定着部４で発生したＶＯＣなどが進入しないようになっている。下板７２は、その右端がコロナ帯電器２２の左端近傍に位置し、左端側が、定着部４の右側上部まで延設されている。カバー部材７３は、水平部７３ａと、その右端から下方に屈曲された右屈曲部７３ｂと、水平部７３ａの左端から下方に向けて屈曲された左屈曲部７３ｃとを有している。この水平部７３ａの右端と、上述の下板７２の左端縁との間には、前後方向に長い通気口７４が形成されている。この通気口７４は、下板７２の下方に構成される流路８と、下板７２の上方に形成される上述の流路７とを連通させるためのものである。
【００３３】
下板７２とこの下方に位置する上述の搬送ベルト３７との間で、かつ上述の画像形成部２とこの左方に位置する定着部４との間には、上述の流路７とは別の流路８が形成される。この流路８は主に、転写帯電器２５近傍で発生したオゾン、転写帯電器２５及びクリーニング装置２６近傍で発生した飛散トナーを、上方に画像形成部２から左方の定着部４に向けて移動させ、さらに上述の通気口７４を介して、上方の流路７に導入するものである。なお、流路８においては、搬送ベルト３６が矢印方向に回転し、これに伴って記録材Ｐがほぼ右から左に向かって移動する。これにより、流路８には、画像形成部２近傍の空気Ａを定着部４に向けて移動させるような気流が形成されやすくなっている。また、定着部４とその斜め上方に配置された排気装置１０との間には、流路９が形成されている。
【００３４】
上述構成の画像形成装置にあっては、一次帯電時のコロナ帯電器２２のコロナ放電によってオゾンが発生する。また、転写時の転写帯電器２５のコロナ放電によってオゾンが発生する。また、転写時の転写帯電器２５及びクリーニング時のクリーニング装置２６近傍からは飛散トナーが発生する。さらに、記録材Ｐとしてコート紙を使用した場合の定着部４では、コート紙が加熱されることにより、ＶＯＣが発生する。
【００３５】
上述の各箇所で発生した、オゾン、飛散トナー、ＶＯＣは、排気装置１０のファン１０４の回転によって発生する気流に乗って排気装置１０に導かれる。すなわち、コロナ帯電器２２近傍で発生したオゾンは、流路７に沿って図１中の右方から左方に流れて排気装置１０にいたる。また、転写帯電器２５近傍で発生したオゾン、並びに転写帯電器２５近傍及びクリーニング装置２６近傍で発生した飛散トナーは、流路８に沿って図１中の右方から左方に流れて通気口７４を通って流路７に入り、流路７の下流側の部分を介して排気装置１０に至る。そして、定着部４の定着ニップ近傍で発生したＶＯＣは、定着時の加熱による上昇気流に乗って流路９を通って排気装置１０に至る。
【００３６】
上述のように、画像形成装置本体Ｍから排気装置１０に導かれた空気Ａには、オゾンや飛散トナーやＶＯＣが含まれている。これらは、排気装置１０の吸気口１０１ａから吸引されて、排気口１０１ｂに至る間に各フィルタによって良好に除去される。
【００３７】
排気装置１０に導かれた空気Ａは、まず、防塵フィルタ１０２を通過することによって飛散トナーが除去される。飛散トナーが除去された空気Ａは、次にオゾンフィルタ１０３を通過する。オゾンフィルタ１０３ではオゾンとＶＯＣを吸着するが、ＶＯＣをすべて除去することはできない。特に低分子量のＶＯＣは吸着が困難である。
【００３８】
オゾンフィルタ１０３で除去しきれなかったＶＯＣはＶＯＣ酸化触媒フィルタ１０５を通過することによって除去される。こうして、飛散トナー、オゾン、ＶＯＣが除去された空気Ａが、排気装置１０の排気口１０１ｂから画像形成装置本体Ｍ外部に排気される。
【００３９】
ここで、一般に、ＶＯＣ酸化触媒フィルタ１０５は、化学反応に時間を要するため高濃度のＶＯＣは分解することが難しい。また高濃度のＶＯＣを分解する頻度が高いと耐久性能も低下しがちとなる。
【００４０】
しかしながら、排気装置１０は、上述のように構成することにより、オゾンフィルタ１０３でＶＯＣの濃度を低くした後の空気ＡをＶＯＣ酸化触媒フィルタ１０５に通過させるようにしているので、ＶＯＣを確実に除去をすることが可能となり、また長期間にわたってＶＯＣ除去能力を持続させることができる。また、ＶＯＣ酸化触媒フィルタ１０５では、ＶＣＯを酸化させることによってＶＯＣを除去しているので、ホルムアルデヒドのような低分子量のＶＯＣでも除去することが可能である。
【００４１】
＜実施の形態２＞
図３に、本実施の形態の排気装置１０Ａの縦断面図を示す。なお、本実施の形態の排気装置１０Ａのうち、上述の実施の形態１と同様の構成については、同一の符号を付して適宜説明を省略する。
【００４２】
［排気装置１０Ａ］
本実施の形態では、排気装置１０Ａは、上述の実施の形態１におけるＶＯＣ酸化触媒フィルタ１０５に代えて、オゾン分解触媒フィルタ１０６を配設している。すなわち本実施の形態では、排気装置１０Ａは、ダクト１０１と、このダクト１０１に対して、空気Ａの流れの上流側から順に取り付けられた防塵フィルタ１０２、オゾンフィルタ１０３、モータファン１０４、オゾン分解触媒フィルタ１０６とを備えている。なお、本実施の形態に係る画像形成装置は、排気装置１０Ａ以外の構成については、上述の実施の形態１と同様である。
【００４３】
オゾン分解触媒フィルタ１０６は、二酸化マンガンや酸化ニッケルなどのオゾン分解触媒を織布、不織布、薄板などの基材で担持した構成することができる。ただし、これに限定されるものではない。
【００４４】
実施の形態１と同様に、画像形成装置本体Ｍ内の画像形成部２近傍で発生するオゾンや飛散トナー、定着部４近傍で発生するＶＯＣは、画像形成装置本体Ｍ内の空気とともに、モータファン１０４によって排気装置１０へ導かれる。排気装置１０に導かれた空気Ａは、まず、防塵フィルタ１０２を通過することによって飛散トナーが除去される。
【００４５】
飛散トナーが除去された空気Ａは、次にオゾンフィルタ１０３を通過する。オゾンフィルタ１０３ではオゾンとＶＯＣとを吸着するが、ＶＯＣをすべて除去することはできない。特に低分子量のＶＯＣは吸着が困難である。オゾンフィルタ１０３で除去しきれなかったＶＯＣはオゾン分解フィルタ１０６を通過することによって除去され、画像形成装置本体Ｍ外部に排出される。
【００４６】
このとき、オゾン分解触媒フィルタ１０６では、オゾンが分解されてラジカル（遊離基）が発生する。このラジカルがＶＯＣを酸化する。このため、ホルムアルデヒドのような低分子量のＶＯＣでも除去可能である。
【００４７】
本実施の形態によると、上述の実施の形態１と同様に、触媒フィルタ（本実施の形態ではオゾン分解触媒フィルタ１０６）の上流側に、ＶＯＣを吸着する機能を有するフィルタ（本実施の形態では、オゾンフィルタ１０３）を設け、まず、オゾンフィルタ１０３によってオゾン及びＶＯＣを除去し、このオゾンフィルタ１０３で除去し切れなかったＶＯＣをオゾン分解触媒フィルタ１０６によって分解するようにしている。このため、排気装置１０は、ＶＯＣを確実に除去をすることが可能となり、また長期間にわたって、ＶＯＣ除去能力を持続することができる。
【００４８】
＜実施の形態３＞
本発明に係る排気装置は、ＶＯＣを吸着することのできるフィルタを上流側に配置し、ＶＯＣを分解することのできるフィルタを下流側に配置するものであれば、ダクト１０１、防塵フィルタ１０２、モータファン１０４等の位置は、適宜に設定することができる。また、防塵フィルタ１０２は省略することも可能である。
【００４９】
例えば、図４（ａ）に示す排気装置１０ａは、防塵フィルタを有しておらず、ダクト１０１の上流側（ダクト内の空気の流れに沿っての上流側）から順に、オゾンフィルタ１０３、モータファン１０４、ＶＯＣ酸化触媒フィルタ１０５が配設されている。
【００５０】
図４（ｂ）に示す排気装置１０ｂは、除去フィルタ１０１の上流側から順に、防塵フィルタ１０２、モータファン１０４、オゾンフィルタ１０３、ＶＯＣ酸化触媒フィルタ１０５が配設されている。
【００５１】
図４（ｃ）に示す排気装置１０ｃは、除去フィルタ１０１の上流側から順に、防塵フィルタ１０２、オゾンフィルタ１０３、ＶＯＣ酸化触媒フィルタ１０５、モータファン１０４が配設されている。
【００５２】
また、図４（ｄ）に示す排気装置１０ｄは、フィルタ等の配置は、図２に示す実施の形態１のものと同様である。すなわちダクト１０１の上流側から順に、防塵フィルタ１０２、オゾンフィルタ１０３、モータファン１０４、ＶＯＣ酸化触媒フィルタ１０５が配設されている。図２に示す排気装置１０との違いは、主にオゾンや飛散トナーを含んだ空気ＡＯを導くダクト１０７と、主にＶＯＣを含んだ空気ＡＶＯＣを導くダクト１０８とを有する点である。すなわち、上述のように、オゾンや飛散トナーは、主に画像形成部２近傍で発生する。一方、ＶＯＣは、主に定着部４近傍で発生する。そこで、オゾンや飛散トナーを含んだ空気ＡＯは、ダクト１０７で導き、ＶＯＣを含む空気ＡＶＯＣはダクト１０８で導く。そして、これらの空気ＡＯ，ＡＶＯＣをそれぞれ個別に導いた後、合流させ、その後にオゾンフィルタ１０３とＶＯＣ酸化触媒フィルタ１０５とを通過させるようにしている。
【００５３】
さらにはオゾンフィルタ１０３とＶＯＣ酸化触媒フィルタ１０５とを、空気の流れ沿っての上流側と下流側とに直列に有する一体型のフィルタを使用するようにしてもよい。
【００５４】
なお、本実施の形態においては、上述の実施の形態２と同様に、ＶＯＣ酸化触媒フィルタ１０５に代えて、オゾン分解触媒フィルタ１０６（図３参照）を設けるようにしてもよい。
【００５５】
以上の説明では、画像形成装置本体Ｍに、１個の排気装置が設けられている場合を例に説明したが、画像形成装置本体Ｍに複数の排気装置を設けるようにしてもよい。この場合、すべての排気装置を本発明に係る排気装置としてオゾンフィルタ１０３とＶＯＣ酸化触媒フィルタ１０５を設けるようにすると、画像形成装置本体Ｍ内で発生したオゾン及びＶＯＣを良好に除去することができる。また、これに代えて、ＶＯＣが発生される場所（上述の実施の形態１〜３では、定着部４近傍）に配設される排気装置のみ、本発明に係る排気装置、すなわち上流側にオゾンフィルタ１０３を有し、下流側にＶＯＣ酸化触媒フィルタ１０５を有する排気装置とし、他の排気装置はＶＯＣ酸化触媒フィルタ１０５を有さない排気装置としてもよい。この場合には、排気装置を簡略化してコストダウンを図ることができる。
【図面の簡単な説明】
【００５６】
【図１】本発明に係る排気装置を適用することができる画像形成装置の概略構成を示す縦断面図である。
【図２】実施の形態１に係る排気装置の拡大縦断面図である。
【図３】実施の形態２に係る排気装置の拡大縦断面図である。
【図４】（ａ）〜（ｄ）はそれぞれその他の排気装置を示す縦断面図である。
【符号の説明】
【００５７】
１          リーダ部
２          画像形成部
３          給搬送部
４          定着部
５          排紙部
６          反転部
７，８，９  流路
１０，１０Ａ，１０ａ〜１０ｄ
排気装置（排気部）
１０１      ダクト（排気排出路）
１０２      防塵フィルタ
１０３      オゾンフィルタ（吸着フィルタ）
１０４      モータファン（排気手段）
１０５      ＶＯＣ酸化触媒フィルタ（触媒フィルタ）
１０６      オゾン分解触媒フィルタ（触媒フィルタ）
Ｍ          画像形成装置本体
【図１】
2006119313.tif 000003
【図２】
2006119313.tif 000004
【図３】
2006119313.tif 000005
【図４】
2006119313.tif 000006